(57)【要約】【課題】  ディスプレイ予熱方法の提供。【解決手段】  少なくとも一つの調整キーを押下ることによりディスプレイを予熱モードに切り換えて画像パターンをディスプレイパネル上に発生させて予熱の処理を行なう。そのうち、画像パターンはＯＳＤコントロールセンター或いは画像サイズプロセッサにより生成され、外部の画像信号ではなく、ゆえにディスプレイに予熱処理を行う時、画像出力装置を組み合わせる必要がなく、こうして、ディスプレイ予熱に必要な時間、コストを減らし、予熱効率を高める。【選択図】        図４
2005173529.tif 000002
【特許請求の範囲】
【請求項１】
ディスプレイ予熱方法において、ディスプレイの表面に少なくとも一つの調整ボタンが設けられ、調整ボタンはＯＳＤインタフェースの呼び出しと表示パラメータの設定に用いられ、該ディスプレイ予熱方法は、
（Ａ）ディスプレイ起動のステップ、
（Ｂ）少なくとも一つの調整ボタンが押されたかを判断し、押されていなければ（Ｆ）のステップを実行するステップ、
（Ｃ）画像信号が入力されたかを判断し、入力されていなければ（Ｅ）のステップを実行するステップ、
（Ｄ）画像パターンをディスプレイ駆動回路に出力し、並びに（Ｃ）のステップを実行するステップ、
（Ｅ）ＯＳＤインタフェースを呼び出し画像パターンに対応する表示パラメータを設定するステップ、
（Ｆ）実行終了ステップ、
以上のステップを具え、そのうち画像パターンはＯＳＤコントロールセンターより出力され、画像信号は画像出力装置が提供し、駆動回路はディスプレイを駆動して画像パターンを表示させることを特徴とする、ディスプレイ予熱方法。
【請求項２】
請求項１記載のディスプレイ予熱方法において、画像出力装置がコンピュータとされたことを特徴とする、ディスプレイ予熱方法。
【請求項３】
請求項１記載のディスプレイ予熱方法において、画像パターンが赤色ブロック、青色ブロック、緑色ブロック、白色ブロック、或いは以上のブロックの組み合わせとされたことを特徴とする、ディスプレイ予熱方法。
【請求項４】
請求項１記載のディスプレイ予熱方法において、画像パターンが時間とともに位置、形状、或いはカラーを変更することを特徴とする、ディスプレイ予熱方法。
【請求項５】
請求項１記載のディスプレイ予熱方法において、（Ｅ）のステップがさらに表示パラメータの保存を含むことを特徴とする、ディスプレイ予熱方法。
【請求項６】
ディスプレイ予熱方法において、ディスプレイの表面に少なくとも一つの調整ボタンが設けられ、調整ボタンはＯＳＤインタフェースの呼び出しと表示パラメータの設定に用いられ、該ディスプレイ予熱方法は、
（Ａ）ディスプレイ起動ステップ、
（Ｂ）少なくとも一つの調整ボタンが押されたかを判断し、押されていなければ（Ｄ）のステップを実行するステップ、
（Ｃ）画像パターンをディスプレイ駆動回路に出力するステップ、
（Ｄ）実行終了ステップ、
以上のステップを具え、そのうち画像パターンはＯＳＤコントロールセンターより出力され、画像信号は画像出力装置が提供し、駆動回路はディスプレイを駆動して画像パターンを表示させることを特徴とする、ディスプレイ予熱方法。
【請求項７】
請求項６記載のディスプレイ予熱方法において、画像出力装置がコンピュータとされたことを特徴とする、ディスプレイ予熱方法。
【請求項８】
請求項６記載のディスプレイ予熱方法において、画像パターンが赤色ブロック、青色ブロック、緑色ブロック、白色ブロック、或いは以上のブロックの組み合わせとされたことを特徴とする、ディスプレイ予熱方法。
【請求項９】
請求項６記載のディスプレイ予熱方法において、画像パターンが時間とともに位置、形状、或いはカラーを変更することを特徴とする、ディスプレイ予熱方法。
【請求項１０】
ディスプレイ予熱方法において、ディスプレイの表面に少なくとも一つの調整ボタンが設けられ、調整ボタンはＯＳＤインタフェースの呼び出しと表示パラメータの設定に用いられ、該ディスプレイ予熱方法は、
（Ａ）ディスプレイ起動のステップ、
（Ｂ）少なくとも一つの調整ボタンが押されたかを判断し、押されていなければ（Ｆ）のステップを実行するステップ、
（Ｃ）画像信号が入力されたかを判断し、入力されていなければ（Ｅ）のステップを実行するステップ、
（Ｄ）画像パターンをディスプレイ駆動回路に出力し、並びに（Ｃ）のステップを実行するステップ、
（Ｅ）ＯＳＤインタフェースを呼び出し画像パターンに対応する表示パラメータを設定するステップ、
（Ｆ）実行終了ステップ、
以上のステップを具え、そのうち画像パターンは画像サイズプロセッサより出力され、駆動回路はディスプレイを駆動して画像パターンを表示させることを特徴とする、ディスプレイ予熱方法。
【請求項１１】
請求項１０記載のディスプレイ予熱方法において、画像出力装置がコンピュータとされたことを特徴とする、ディスプレイ予熱方法。
【請求項１２】
請求項１０記載のディスプレイ予熱方法において、画像パターンが赤色ブロック、青色ブロック、緑色ブロック、白色ブロック、或いは以上のブロックの組み合わせとされたことを特徴とする、ディスプレイ予熱方法。
【請求項１３】
請求項１０記載のディスプレイ予熱方法において、画像パターンが時間とともに位置、形状、或いはカラーを変更することを特徴とする、ディスプレイ予熱方法。
【請求項１４】
請求項１０記載のディスプレイ予熱方法において、（Ｅ）のステップがさらに表示パラメータの保存を含むことを特徴とする、ディスプレイ予熱方法。
【請求項１５】
ディスプレイ予熱方法において、ディスプレイの表面に少なくとも一つの調整ボタンが設けられ、調整ボタンはＯＳＤインタフェースの呼び出しと表示パラメータの設定に用いられ、該ディスプレイ予熱方法は、
（Ａ）ディスプレイ起動ステップ、
（Ｂ）少なくとも一つの調整ボタンが押されたかを判断し、押されていなければ（Ｄ）のステップを実行するステップ、
（Ｃ）画像パターンをディスプレイ駆動回路に出力するステップ、
（Ｄ）実行終了ステップ、
以上のステップを具え、そのうち画像パターンは画像サイズプロセッサより出力され、画像信号は画像出力装置が提供し、駆動回路はディスプレイを駆動して画像パターンを表示させることを特徴とする、ディスプレイ予熱方法。
【請求項１６】
請求項１５記載のディスプレイ予熱方法において、画像出力装置がコンピュータとされたことを特徴とする、ディスプレイ予熱方法。
【請求項１７】
請求項１５記載のディスプレイ予熱方法において、画像パターンが赤色ブロック、青色ブロック、緑色ブロック、白色ブロック、或いは以上のブロックの組み合わせとされたことを特徴とする、ディスプレイ予熱方法。
【請求項１８】
請求項１５記載のディスプレイ予熱方法において、画像パターンが時間とともに位置、形状、或いはカラーを変更することを特徴とする、ディスプレイ予熱方法。
【発明の詳細な説明】
【技術分野】
【０００１】
本発明はディスプレイ予熱方法に係り、特に外部より試験信号を入力しないで、ディスプレイに自己予熱させる方法に関する。
【背景技術】
【０００２】
陰極線管（ＣＲＴ）ディスプレイ或いは液晶ディスプレイ（ＬＣＤ）は製造過程中に、ディスプレイに対して予熱の動作を行ってディスプレイに画像を出力させる必要がある。ある時間予熱した後（例えば２０分間後）、ディスプレイの表示するカラーは次第に安定し、検査員がディスプレイの表示するカラーを測定開始し、並びに色温度値の修正を行う。ディスプレイが異なるとその構造は異なり、ゆえに使用する予熱方法も異なる。
【０００３】
図１に示されるように、ＣＲＴディスプレイ１０の表面には電源ボタン１２及び複数の調整ボタン１４が設けられ、電源ボタン１２はＣＲＴディスプレイ１０の起動／切断に用いられ、調整ボタン１４はＯＳＤ（ビデオコントロール調整表示）インタフェースを呼び出して画像パラメータの調整を行うのに用いられる。
【０００４】
図２に示されるように、ＣＲＴディスプレイ１０の画像信号入力インタフェース２１は画像信号を入力でき、並びに画像信号をマイクロプロセッサ２２及びＯＳＤコントロールセンター２５に送る。メモリ２３は表示パラメータを保存し、マイクロプロセッサ２２は表示パラメータ及び画像信号によりフレーム信号を発生し、さらに同期処理プロセッサ２４、垂直偏向コントローラ２７、水平偏向コントローラ２８、および駆動回路２９によりディスプレイパネルを駆動し、これにより画像パターンを発生する。ＯＳＤコントロールセンター２５は増幅器２６によりＯＳＤ信号を駆動回路２９に出力し、並びにＯＳＤインタフェースをディスプレイパネル上に表示する。ＣＲＴディスプレイ１０に予熱処理を行う時は、画像信号入力インタフェース２１に画像信号を入力して画像パターンを発生させる必要がある。画像信号入力インタフェース２１に画像信号未入力の時、ＣＲＴディスプレイ１０は節電モード（ｇｒｅｅｎ  ｍｏｄｅ）に進入し、予熱処理を行うことができない。
【０００５】
図３に示されるように、液晶ディスプレイ３０（図示せず）の画像信号入力インタフェース３１は画像信号を入力でき、並びに画像信号をマイクロプロセッサ３２及び画像サイズプロセッサ３４に出力する。メモリ３３は表示パラメータを保存し、マイクロプロセッサ３２は表示パラメータ及び画像信号によりフレーム信号を発生し、さらに画像サイズプロセッサ３４及び駆動回路３５によりディスプレイパネルを駆動し、これにより画像パタンを発生する。液晶ディスプレイ３０に予熱処理を行う時は、画像信号入力インタフェース３１に画像信号を入力して画像パターンを発生する必要がある。画像信号入力インタフェース３１に画像信号を入力しなければ、液晶ディスプレイ３０は節電モードに進入し、予熱処理を行えない。
【０００６】
ディスプレイの予熱過程ではいずれも画像信号を画像信号入力インタフェース２１或いは３１に入力しなければ、画像パターンを発生させて予熱の処理を行うことができない。ディスプレイメーカーがバッチ生産を行う時、画像信号信号を発生する画像出力装置（コンピュータ）は有限であり、各ディスプレイに２０分間もかかることはディスプレイメーカーの要求に符合しない。
【発明の開示】
【発明が解決しようとする課題】
【０００７】
本発明の主要な目的は、一種のディスプレイ予熱方法を提供することにあり、それは画像入力信号がない条件の下で、ディスプレイの予熱処理が行える方法であるものとする。
【０００８】
本発明の次の目的は、一種のディスプレイ予熱方法を提供することにあり、それは予熱時間が長すぎることでディスプレイの寿命を短縮することがない方法であるものとする。
【課題を解決するための手段】
【０００９】
請求項１の発明は、ディスプレイ予熱方法において、ディスプレイの表面に少なくとも一つの調整ボタンが設けられ、調整ボタンはＯＳＤインタフェースの呼び出しと表示パラメータの設定に用いられ、該ディスプレイ予熱方法は、
（Ａ）ディスプレイ起動のステップ、
（Ｂ）少なくとも一つの調整ボタンが押されたかを判断し、押されていなければ（Ｆ）のステップを実行するステップ、
（Ｃ）画像信号が入力されたかを判断し、入力されていなければ（Ｅ）のステップを実行するステップ、
（Ｄ）画像パターンをディスプレイ駆動回路に出力し、並びに（Ｃ）のステップを実行するステップ、
（Ｅ）ＯＳＤインタフェースを呼び出し画像パターンに対応する表示パラメータを設定するステップ、
（Ｆ）実行終了ステップ、
以上のステップを具え、そのうち画像パターンはＯＳＤコントロールセンターより出力され、画像信号は画像出力装置が提供し、駆動回路はディスプレイを駆動して画像パターンを表示させることを特徴とする、ディスプレイ予熱方法としている。
請求項２の発明は、請求項１記載のディスプレイ予熱方法において、画像出力装置がコンピュータとされたことを特徴とする、ディスプレイ予熱方法としている。
請求項３の発明は、請求項１記載のディスプレイ予熱方法において、画像パターンが赤色ブロック、青色ブロック、緑色ブロック、白色ブロック、或いは以上のブロックの組み合わせとされたことを特徴とする、ディスプレイ予熱方法としている。
請求項４の発明は、請求項１記載のディスプレイ予熱方法において、画像パターンが時間とともに位置、形状、或いはカラーを変更することを特徴とする、ディスプレイ予熱方法としている。
請求項５の発明は、請求項１記載のディスプレイ予熱方法において、（Ｅ）のステップがさらに表示パラメータの保存を含むことを特徴とする、ディスプレイ予熱方法としている。
請求項６の発明は、ディスプレイ予熱方法において、ディスプレイの表面に少なくとも一つの調整ボタンが設けられ、調整ボタンはＯＳＤインタフェースの呼び出しと表示パラメータの設定に用いられ、該ディスプレイ予熱方法は、
（Ａ）ディスプレイ起動ステップ、
（Ｂ）少なくとも一つの調整ボタンが押されたかを判断し、押されていなければ（Ｄ）のステップを実行するステップ、
（Ｃ）画像パターンをディスプレイ駆動回路に出力するステップ、
（Ｄ）実行終了ステップ、
以上のステップを具え、そのうち画像パターンはＯＳＤコントロールセンターより出力され、画像信号は画像出力装置が提供し、駆動回路はディスプレイを駆動して画像パターンを表示させることを特徴とする、ディスプレイ予熱方法としている。
請求項７の発明は、請求項６記載のディスプレイ予熱方法において、画像出力装置がコンピュータとされたことを特徴とする、ディスプレイ予熱方法としている。
請求項８の発明は、請求項６記載のディスプレイ予熱方法において、画像パターンが赤色ブロック、青色ブロック、緑色ブロック、白色ブロック、或いは以上のブロックの組み合わせとされたことを特徴とする、ディスプレイ予熱方法としている。
請求項９の発明は、請求項６記載のディスプレイ予熱方法において、画像パターンが時間とともに位置、形状、或いはカラーを変更することを特徴とする、ディスプレイ予熱方法としている。
請求項１０の発明は、ディスプレイ予熱方法において、ディスプレイの表面に少なくとも一つの調整ボタンが設けられ、調整ボタンはＯＳＤインタフェースの呼び出しと表示パラメータの設定に用いられ、該ディスプレイ予熱方法は、
（Ａ）ディスプレイ起動のステップ、
（Ｂ）少なくとも一つの調整ボタンが押されたかを判断し、押されていなければ（Ｆ）のステップを実行するステップ、
（Ｃ）画像信号が入力されたかを判断し、入力されていなければ（Ｅ）のステップを実行するステップ、
（Ｄ）画像パターンをディスプレイ駆動回路に出力し、並びに（Ｃ）のステップを実行するステップ、
（Ｅ）ＯＳＤインタフェースを呼び出し画像パターンに対応する表示パラメータを設定するステップ、
（Ｆ）実行終了ステップ、
以上のステップを具え、そのうち画像パターンは画像サイズプロセッサより出力され、駆動回路はディスプレイを駆動して画像パターンを表示させることを特徴とする、ディスプレイ予熱方法としている。
請求項１１の発明は、請求項１０記載のディスプレイ予熱方法において、画像出力装置がコンピュータとされたことを特徴とする、ディスプレイ予熱方法としている。
請求項１２の発明は、請求項１０記載のディスプレイ予熱方法において、画像パターンが赤色ブロック、青色ブロック、緑色ブロック、白色ブロック、或いは以上のブロックの組み合わせとされたことを特徴とする、ディスプレイ予熱方法としている。
請求項１３の発明は、請求項１０記載のディスプレイ予熱方法において、画像パターンが時間とともに位置、形状、或いはカラーを変更することを特徴とする、ディスプレイ予熱方法としている。
請求項１４の発明は、請求項１０記載のディスプレイ予熱方法において、（Ｅ）のステップがさらに表示パラメータの保存を含むことを特徴とする、ディスプレイ予熱方法としている。
請求項１５の発明は、ディスプレイ予熱方法において、ディスプレイの表面に少なくとも一つの調整ボタンが設けられ、調整ボタンはＯＳＤインタフェースの呼び出しと表示パラメータの設定に用いられ、該ディスプレイ予熱方法は、
（Ａ）ディスプレイ起動ステップ、
（Ｂ）少なくとも一つの調整ボタンが押されたかを判断し、押されていなければ（Ｄ）のステップを実行するステップ、
（Ｃ）画像パターンをディスプレイ駆動回路に出力するステップ、
（Ｄ）実行終了ステップ、
以上のステップを具え、そのうち画像パターンは画像サイズプロセッサより出力され、画像信号は画像出力装置が提供し、駆動回路はディスプレイを駆動して画像パターンを表示させることを特徴とする、ディスプレイ予熱方法としている。
請求項１６の発明は、請求項１５記載のディスプレイ予熱方法において、画像出力装置がコンピュータとされたことを特徴とする、ディスプレイ予熱方法としている。
請求項１７の発明は、請求項１５記載のディスプレイ予熱方法において、画像パターンが赤色ブロック、青色ブロック、緑色ブロック、白色ブロック、或いは以上のブロックの組み合わせとされたことを特徴とする、ディスプレイ予熱方法としている。
請求項１８の発明は、請求項１５記載のディスプレイ予熱方法において、画像パターンが時間とともに位置、形状、或いはカラーを変更することを特徴とする、ディスプレイ予熱方法としている。
【発明の効果】
【００１０】
本発明のディスプレイ予熱方法によると、少なくとも一つの調整キーを押下ることによりディスプレイを予熱モードに切り換えて画像パターンをディスプレイパネル上に発生させて予熱の処理を行なう。そのうち、画像パターンはＯＳＤコントロールセンター或いは画像サイズプロセッサにより生成され、外部の画像信号ではなく、ゆえにディスプレイに予熱処理を行う時、画像出力装置を組み合わせる必要がなく、こうして、ディスプレイ予熱に必要な時間、コストを減らし、予熱効率を高める。
【発明を実施するための最良の形態】
【００１１】
本発明のディスプレイ予熱方法によると、ディスプレイの表面に少なくとも一つの調整ボタンが設けられ、調整ボタンはＯＳＤインタフェースの呼び出しと表示パラメータの設定に用いられ、本発明の方法は以下のステップを具えている。（Ａ）ディスプレイ起動；（Ｂ）少なくとも一つの調整ボタンが押されたかを判断し、押されていなければ（Ｆ）のステップを実行する；（Ｃ）画像信号が入力されたかを判断し、入力されていなければ（Ｅ）のステップを実行する；（Ｄ）画像パターンをディスプレイ駆動回路に出力し、並びに（Ｃ）のステップを実行する；（Ｅ）ＯＳＤインタフェースを呼び出し画像パターンに対応する表示パラメータを設定する；（Ｆ）実行終了。そのうち画像パターンはＯＳＤコントロールセンターより出力され、画像信号は画像出力装置が提供し、駆動回路はディスプレイを駆動して画像パターンを表示させる。
【００１２】
本発明のディスプレイ予熱方法の別の実施例によると、ディスプレイの表面に少なくとも一つの調整ボタンが設けられ、調整ボタンはＯＳＤインタフェースの呼び出しと表示パラメータの設定に用いられ、本発明の方法は以下のステップを具えている。（Ａ）ディスプレイ起動；（Ｂ）少なくとも一つの調整ボタンが押されたかを判断し、押されていなければ（Ｄ）のステップを実行する；（Ｃ）画像パターンをディスプレイ駆動回路に出力し；（Ｄ）実行終了。そのうち画像パターンはＯＳＤコントロールセンターより出力され、画像信号は画像出力装置が提供し、駆動回路はディスプレイを駆動して画像パターンを表示させる。
【実施例１】
【００１３】
本発明のディスプレイ予熱方法は画像信号の入力なくしてＯＳＤコントロールセンター２５或いは画像サイズプロセッサ３４がマイクロプロセッサ２２或いは３２の命令によりフレーム信号を発生し、さらに駆動回路２９或いは３５によりディスプレイパネルを駆動して画像パターンを表示する。ディスプレイは節電モードに進入しないため、正常に画像パターンを表示し、ゆえにディスプレイの予熱処理を行える。ディスプレイが画像出力装置の使用を必要とせず、特定の調整ボタンを押す、例えば続けて調整ボタンを５秒間或いは同時に二つ或いはそれ以上の異なる調整ボタンを押すことにより、ディスプレイを予熱モードに進入させてフレーム信号を自己発生させてディスプレイの予熱処理を行える。これにより、本発明のディスプレイ予熱方法はディスプレイの予熱時間（わずかに電源をディスプレイに供給し、それを予熱モードに切り換えるだけでよい）を節約し、またディスプレイメーカーが画像出力装置を購入するコストを節約でき、ゆえにディスプレイメーカーの要求に符合する。そのうち、本発明のディスプレイ予熱方法の実行ステップは以下のとおりである。
ステップＳ４０：ディスプレイ起動。ディスプレイ起動後、使用者がディスプレイを一般モード或いは予熱モードのいずれかに設定することで、関係する処理を行う。
ステップＳ４１：少なくとも一つの調整ボタンが押されたかを判断する。使用者がディスプレイ起動後に、使用者が少なくとも一つの調整ボタンを押すと、ディスプレイは予熱モードに進入し、並びにステップＳ４２を実行し、使用者が調整ボタンを押さなければ一般モードに進入し、並びにステップＳ４５を実行する。予熱モードと一般モードの違いは、すなわち、予熱モードはＯＳＤコントロールセンター２５或いは画像サイズプロセッサ３４がマイクロプロセッサ２２或いは３２の命令によりフレーム信号を発生し、さらに駆動回路２９或いは３５によりディスプレイパネルを駆動し画像パターンを発生する。一般モードでは画像出力装置が画像信号を出力するとき、ディスプレイが画像信号に対応する画像パターンを発生し、画像出力装置が画像信号を出力しない時、ディスプレイが節電モードに進入してパワー消耗を節約する。一般モードは本発明の精神のあるところではないため、詳しい説明は省略する。
ステップＳ４２：画像信号が入力されたかを判断する。画像出力装置は画像信号をディスプレイに出力し、ディスプレイパネルに画像パターンを発生させることができる。画像出力装置が画像信号をディスプレイに出力すると、ステップＳ４４を実行し、出力しなければステップＳ４３を実行する。
ステップＳ４３：画像パターンをディスプレイの駆動回路に出力する。ディスプレイは予熱モードに切り換えられ且つ画像信号を受け取っていないため、マイクロプロセッサ２２或いは３２は命令をＯＳＤコントロールセンター２５或いは画像サイズプロセッサ３４に出力し、それにフレーム信号を発生させ、さらに駆動回路２９或いは３５によりディスプレイパネルを駆動して画像パターンを発生させる。そのうち、ＣＲＴディスプレイ１０或いは液晶ディスプレイ３０の表示する画像パターンは赤色ブロック、青色ブロック、緑色ブロック、或いは白色ブロックとされ得て、各画像パターンはいずれも時間にともない表示位置、表示形状、或いは表示カラーを改変し、その画像パターンはまた時間とともに位置、形状或いはカラーを変更し、並びにステップＳ４２を新たに実行する。
ステップＳ４４：ＯＳＤインタフェースを表示して画像パターンに対応する表示パラメータを設定する。画像出力装置が画像信号をディスプレイに出力した後、ディスプレイは一般モードに切り換わり、並びにＯＳＤインタフェースを表示して使用者に表示パラメータに対する調整を行わせ、この表示パラメータは、画像パターンカラー値、画像パターン位置、或いは画像パターンサイズを含むがこれに限定されるものではない。
ステップＳ４５：実行終了。
【実施例２】
【００１４】
本発明の第２実施例のディスプレイ予熱方法によると、画像信号の入力の有無の判断を行わず、すなわちステップＳ４２を実行せず、ステップＳ４４も実行せず、ゆえに本発明の第２実施例のディスプレイ予熱方法はわずかにステップＳ４０、ステップＳ４１、ステップＳ４３、及びステップＳ４５のみ残される。この二つの実施例の違いは、表示パラメータの設定を提供するか否かの違いであり、ディスプレイメーカーが余分の表示パラメータ調整を行う必要がない時には第２実施例のディスプレイ予熱方法によりディスプレイの予熱処理を行うのが好ましい。
【図面の簡単な説明】
【００１５】
【図１】ＣＲＴディスプレイの外観図である。
【図２】ＣＲＴディスプレイのブロック図である。
【図３】液晶ディスプレイのブロック図である。
【図４】本発明のディスプレイ予熱方法のフローチャートである。
【符号の説明】
【００１６】
１０  ＣＲＴディスプレイ        １２  電源ボタン
１４  調整ボタン                ２１  画像信号入力インタフェース
２２  マイクロプロセッサ        ２３  メモリ
２４  同期処理チップ            ２５  ＯＳＤコントロールセンター
２６  増幅器                    ２７  垂直偏向コントローラ
２８  水平偏向コントローラ      ２９  駆動回路
３１  画像信号入力インタフェース  ３０  液晶ディスプレイ
３２  マイクロプロセッサ        ３３  メモリ
３４  画像サイズプロセッサ      ３５  駆動回路
【図１】
2005173529.tif 000003
【図２】
2005173529.tif 000004
【図３】
2005173529.tif 000005
【図４】
2005173529.tif 000006